(57)【要約】【課題】それぞれのユーザに対して視聴に好適な位置についての情報を通知することの可能な電子機器、及び通知方法を提供することを課題とする。【解決手段】  実施形態の電子機器は、表示部と、位置特定手段と、記憶手段と、人物特定手段と、通知手段とを具備する。表示部は、映像を表示する。位置特定手段は、前記表示部を視聴するユーザの視聴位置を特定する。記憶手段は、第1の視聴位置を特定する情報を、前記ユーザを識別する情報と対応付けて記憶する。人物特定手段は、前記表示部を視聴するユーザを特定する。通知手段は、前記人物特定手段で特定されたユーザを識別する情報と対応付けられて前記記憶手段に記憶された前記第1の視聴位置と、前記位置特定手段が特定した第２の視聴位置とが異なっている場合、視聴位置が異なっている旨をユーザに対して通知する。【選択図】図７
2015039072.tif 000002
【特許請求の範囲】
【請求項１】
映像を表示する表示部と、
前記表示部を視聴するユーザの視聴位置を特定する位置特定手段と、
第1の視聴位置を特定する情報を、前記ユーザを識別する情報と対応付けて記憶する記憶手段と、
前記表示部を視聴するユーザを特定する人物特定手段と、
前記人物特定手段で特定されたユーザを識別する情報と対応付けられて前記記憶手段に記憶された前記第1の視聴位置と、前記位置特定手段が特定した第２の視聴位置とが異なっている場合、視聴位置が異なっている旨をユーザに対して通知する通知手段と、
を具備する電子機器。
【請求項２】
前記位置特定手段は、外部より入力された画像に基づいて前記ユーザの視聴位置を特定する請求項１記載の電子機器。
【請求項３】
前記位置特定手段は、外部機器によって撮影された画像に基づいて前記ユーザの視聴位置を特定する請求項１記載の電子機器。
【請求項４】
前記位置特定手段は、前記電子機器への指示を行うリモートコントローラによって撮影された画像に基づいて前記ユーザの視聴位置を特定する請求項１記載の電子機器。
【請求項５】
前記表示部と対向する像を撮影する撮影手段を更に具備し、
前記人物特定手段は前記撮影手段によって撮影された画像に基づいて、前記表示部を視聴するユーザを特定する請求項１記載の電子機器。
【請求項６】
前記通知手段は、前記第1の視聴位置と前記第2の視聴位置が一致している場合、視聴位置が一致している旨をユーザに対して通知する請求項１記載の電子機器。
【請求項７】
前記通知手段は前記表示部に表示される映像によって前記通知を実行する請求項１記載の電子機器。
【請求項８】
電子機器の表示部を視聴するユーザの視聴位置を特定し、
第1の視聴位置を特定する情報を、前記ユーザを識別する情報と対応付けて記憶し、
前記表示部を視聴するユーザを特定し、
前記ユーザを識別する情報と対応付けられて記憶された前記第1の視聴位置と、現在ユーザが前記表示部を視聴している視聴位置とが異なっている場合、視聴位置が異なっている旨をユーザに対して通知する通知方法。
【発明の詳細な説明】
【技術分野】
【０００１】
本発明の実施の形態は、電子機器、及び通知方法に関する。
【背景技術】
【０００２】
例えばデジタルテレビ（以下、ＤＴＶとも呼ぶ）等の映像を表示する電子機器では、表示装置の特性等によってユーザにとって表示されている映像を視聴しやすい位置と視聴しづらい位置が存在する場合がある。また、この視聴しやすい位置と視聴しづらい位置は表示装置の特性のみではなく、ユーザ個人の身体的な特徴からも影響を受け、それぞれのユーザにとってこれらの位置が異なっている場合がある。また、ユーザの好みによっても映像の視聴に好適な位置が異なる。
【先行技術文献】
【特許文献】
【０００３】
【特許文献１】特開２００５−０３３４２８号公報
【発明の概要】
【発明が解決しようとする課題】
【０００４】
本発明は上記を鑑みて提案されたものであって、それぞれのユーザに対して視聴に好適な位置についての情報を通知することの可能な電子機器、及び通知方法を提供することを課題とする。
【課題を解決するための手段】
【０００５】
実施形態の電子機器は、表示部と、位置特定手段と、記憶手段と、人物特定手段と、通知手段とを具備する。表示部は、映像を表示する。位置特定手段は、前記表示部を視聴するユーザの視聴位置を特定する。記憶手段は、第1の視聴位置を特定する情報を、前記ユーザを識別する情報と対応付けて記憶する。人物特定手段は、前記表示部を視聴するユーザを特定する。通知手段は、前記人物特定手段で特定されたユーザを識別する情報と対応付けられて前記記憶手段に記憶された前記第1の視聴位置と、前記位置特定手段が特定した第２の視聴位置とが異なっている場合、視聴位置が異なっている旨をユーザに対して通知する。
【図面の簡単な説明】
【０００６】
【図１】実施形態における通知システムの一例を示す概観図。
【図２】実施形態におけるリモートコントローラの一例を示す外観図。
【図３】実施形態におけるＤＴＶ及びリモートコントローラの内部構成の一例を示すブロック図。
【図４】実施形態におけるユーザに視聴位置の通知を行う機能に関する機能ブロックの一例を示すブロック図。
【図５】実施形態におけるＤＴＶが実行する視聴位置解析方法の一例を示す概念図
【図６】実施形態におけるＤＴＶが実行する基準位置登録処理の一例を示すフロー図
【図７】実施形態におけるＤＴＶが実行する通知処理の一例を示すフロー図
【発明を実施するための形態】
【０００７】
本発明の一実施形態について図面を参照しながら説明を行う。
【０００８】
図１は本実施形態における通知システム３の一例を示す概観図である。図１には、ＤＴＶ１、リモートコントローラ２、及び通知システム３が示されている。
【０００９】
ＤＴＶ１は本実施形態における電子機器の一例としてのデジタルテレビジョン（Digital Television）であり、受信した放送波の放送信号から映像・音声情報を抽出し、これらを出力する機能を有している。またＤＴＶ１は、例えばインターネットのような大規模ネットワーク網（WAN:：Wide Area Network）と接続されており、この大規模ネットワークに接続されている他の機器と通信可能となっている。本発明における電子機器の一例としてここではＤＴＶ１を示すが、これに限定されるものではない。電子機器の他の例示としては、ＳＴＢ（Set Top Box）、ＨＤＤレコーダ（Hard Disk Drive）およびＤＶＤ（Digital Versatile Disc）レコーダ、またはＰＣ（Personal Computer）のような様々な機器が考えられる。本実施形態におけるＤＴＶ１は内蔵カメラ１６０を有しており、ＤＴＶ１の正面の像の撮影することが可能である。さらに、ＤＴＶ１は四隅にマーカ４が設けられている。このマーカ４は例えばＤＴＶ１の筐体とは異なる色である。
【００１０】
リモートコントローラ２は複数の操作スイッチ（キー）を有しており、この操作スイッチが押下されると、これに応じてＤＴＶ１の操作を行うための信号を送信する機能を有している。信号の形式は、例えば、ＲＦ(Radio Frequency)信号やＩＲ（Infrared）信号を用いるのが一般的であるが、例えばbluetooth（登録商標）等の無線通信規格に基づいたものであってもよい。また、本発明では有線、無線の区別を問わない。さらに、本実施形態におけるリモートコントローラ２はカメラを有しており、カメラで撮影した画像の情報をＤＴＶ１に送信することができる。
【００１１】
通知システム３はＤＴＶ1とリモートコントローラ２より構成されており、ユーザはリモートコントローラ２を用いてＤＴＶ１を操作して所定の処理を行わせ、画像を表示させることができる。図１中の破線部はＤＴＶ１の内蔵カメラ１６０と、リモコン２のカメラの撮影範囲を例示したものである。
【００１２】
次にリモートコントローラ２の詳細な構造を説明する。
【００１３】
図２は本実施形態におけるリモートコントローラ２の一例を示す外観図である。
【００１４】
リモートコントローラ２はＤＴＶ１の各種機能を操作するための複数のキー２１（スイッチ）が設けられている第１の面と、ユーザがＤＴＶ１への信号を送信する送信部２２が設けられている第２の面とを有する。
【００１５】
キー２１はＤＴＶ１の各種機能を実行するために設けられたキーであって、リモートコントローラ２はそれぞれのキーへのユーザの押下操作に応じて異なる操作信号を発信する。キー２１にはＤＴＶ１の電源投入と遮断とを切り替える電源キーと、表示する映像情報のソースを切り替える入力切替キー、ゲーム、地デジ、ＢＳ又はＣＳを選択するキーを備えた入力切替キー群と、チャンネルの選択や文字の入力等を行うチャンネル文字キー群、チャンネルの切り替えを行うチャンネル切替キーと、画面の表示形式を選択する画面表示キー、音量を調整する音量調整キー、各種ＤＴＶ１の機能を実現させるための色が割り当てられたカラーキー等の様々なキーが含まれている。
【００１６】
送信部２２はユーザのキー２１の操作に応じて各種信号を送信する。ＤＴＶ１は送信部２２より送信された信号に基づいて各種機能を発揮する。
【００１７】
また、第２の面からはカメラ２３が露出しており、カメラ２３は所定のキー２１の操作入力に応じて、自身と対向する像を撮影することができる。
【００１８】
次に通知システム３のＤＴＶ１及びリモートコントローラ２の内部構成について説明する。
【００１９】
図３は本実施形態におけるＤＴＶ１及びリモートコントローラ２の内部構成の一例を示すブロック図である。
【００２０】
先ずＤＴＶ１に関する説明を行う。
【００２１】
ＤＴＶ１は、装置各部の動作を制御する制御部１５６を備えている。制御部１５６は、ＣＰＵ（Central Processing Unit）等を内蔵している。制御部１５６は、操作部１１６から入力される操作信号や、リモートコントローラ２から送信され受信部１１８を介して受信される操作信号に応じて、ＲＯＭ（Read Only Memory）１５７に予め記憶されたシステム制御プログラム及び各種処理プログラムを起動させる。制御部１５６は、起動したプログラムに従って、ＲＡＭ（Random Access Memory）１５８をワークメモリとして装置各部の動作を制御する。また、フラッシュメモリ１５９にも各種データ、プログラム等が記憶されており、制御部１５６はこの各種データ、プログラムを用いて処理を実行する。
【００２２】
入力端子１４４は、ＢＳ／ＣＳデジタル放送受信用のアンテナ１４３が受信した衛星デジタルテレビジョン放送信号を衛星デジタル放送用のチューナ１４５に供給する。チューナ１４５は、受信したデジタル放送信号のチューニングを行い、チューニングしたデジタル放送信号をＰＳＫ（Phase Shift Keying）復振器１４６に送信する。PSK復振器１４６は、ＴＳ（Transport Stream）の復調を行い、復調したＴＳをＴＳ復号器１４７ａに供給し、ＴＳ復号器１４７ａは、TSをデジタル映像信信号、デジタル音声信号、およびデータ信号を含むデジタル信号に復号した後、信号処理部１００にこれを出力する。ここでのデジタル映像信号とはＤＴＶ１が出力可能な映像に関するデジタル信号であり、音声信号はＤＴＶ１が出力可能な音声に関するデジタル信号である。またデータ信号とは、例えばＤＴＶ１が電子番組表であるＥＰＧ（Electronic Program Guide）を生成するときに使用する情報である番組関連情報等を含む、放送波の放送番組に関する情報に関するデジタル信号である。
【００２３】
入力端子１４９は、地上波デジタル放送受信用のアンテナ１４８が受信した地上波デジタルテレビジョン放送信号を地上波デジタル放送用のチューナ１５０に供給する。チューナ１５０は、受信したデジタル放送信号のチューニングを行い、チューニングしたデジタル放送信号をそれぞれのＯＦＤＭ（Orthogonal Frequency Division Multiplexing）復振器１５１に送信する。ＯＦＤＭ復振器１５１は、ＴＳの復調を行い、復調したＴＳをそれぞれのＴＳ復号器１４７ｂに供給し、ＴＳ復号器１４７ｂは、ＴＳをデジタル映像信号及び音声信号等に復号した後、信号処理部１００にこれを出力する。チューナ１５０のそれぞれのチューナで取得した地上波デジタルテレビジョン放送は、これらの複数個のＯＦＤＭ復振器１５１、ＴＳ復号器１４７ｂによってそれぞれ同時にデジタル映像信号、音デジタル音声信号、及びデータ信号を含むデジタル信号として復号された後に、信号処理部１００に出力されることが可能である。
【００２４】
信号処理部１００は、ＴＳ復号器１４７ａ、１４７ｂ、または制御部１５６から出力されたデジタル信号に、適切な信号処理を施す。より具体的には、信号処理部１００はデジタル信号を映像信号、デジタル音声信号、およびデータ信号に分離する。分離された映像信号はグラフィック処理部１５２に、音声信号は音声処理部１５３に出力される。また信号処理部１００は、ライン入力端子１３７からの入力信号にも所定のデジタル信号処理を施す。
【００２５】
ＯＳＤ（On Screen Display）信号生成部１５４は、制御部１５６の制御に従って、ＵＩ（ユーザ・インタフェース）画面などを表示するためのＯＳＤ信号を生成する。また信号処理部１００においてデジタル放送信号から分離されたデータ信号は、ＯＳＤ信号生成部１５４により適切なフォーマットのＯＳＤ信号に変換され、グラフィック処理部１５２に出力される。
【００２６】
グラフィック処理部１５２は、信号処理部１００から出力されるデジタルの映像信号のデコード処理を行う。デコードされた映像信号は、ＯＳＤ信号生成部１５４から出力されたＯＳＤ信号と重ね合わせて合成され、映像処理部１５５に出力される。グラフィック処理部１５２は、デコードされた映像信号またはＯＳＤ信号を、映像処理部１５５に選択的に出力することもできる。
【００２７】
映像処理部１５５は、グラフィック処理部１５２から出力された信号を、表示部１２０で表示可能なフォーマットの映像信号に変換する。変換された映像信号は、表示部１２０に表示される。
【００２８】
音声処理部１５３は、入力された音声信号を、スピーカ１１０で再生可能なフォーマットのアナログ音声信号に変換する。アナログに変換された音声信号は、スピーカ１１０に出力されて再生される。
【００２９】
ＬＡＮ端子１３１は、ＬＡＮＩ／Ｆ１６４を介して制御部１５６に接続されている。ＬＡＮ端子１３１は、イーサネット（登録商標）を用いた一般的なＬＡＮ対応ポートとして使用される。本実施形態においてＬＡＮ端子１３１にはＬＡＮケーブル（図示しない）が接続されており、インターネットと通信可能となっている。
【００３０】
ＵＳＢ（Universal Serial Bus）端子１３３は、ＵＳＢ Ｉ／Ｆ１６６を介して制御部１５６に接続されている。ＵＳＢ端子１３３は、一般的なＵＳＢ対応ポートとして使用される。ＵＳＢ端子１３３には、例えばハブを介して、携帯電話、デジタルカメラ、各種メモリカードに対するカードリーダ／ライタ、ＨＤＤ、キーボード等が接続される。制御部１５６は、ＵＳＢ端子１３３を介して接続される機器との間で、情報の通信（送受信）を行うことができる。
【００３１】
ＨＤＤ１７０はＤＴＶ１に内蔵される磁気記憶媒体（Hard Disk Drive）であってＤＴＶ１が有する各種情報を記憶する機能を有している。
【００３２】
次にリモートコントローラ２に関する説明を行う。
【００３３】
キー２１操作によるユーザからの操作指示は入力部２４に入力される。入力部２４は入力に基づいて、ＤＴＶ１を操作するための操作信号を生成し、送信部２２によって外部に送信させる。この送信された操作信号を受信部１１８が受信するとＤＴＶ１はこの操作信号に応じた所定の処理を実行する。
【００３４】
また、リモートコントローラ２は撮影モジュール２５を備えている。撮影モジュール２５はカメラ２３を有しており、カメラ２３で撮影した画像に対して例えばエンコード等の所定の処理を行い、処理後の画像のデータを送信部２２によって外部に送信させる機能を有している。この画像のデータを受信部１１８が受信するとＤＴＶ１はこれに基づいて所定の処理を実行する。
【００３５】
ＤＴＶ１をユーザが視聴する場合、表示部１２０の特性等によって、表示されている映像を視聴しやすい位置と視聴しづらい位置が存在する場合がある。例えば、ユーザがある位置からＤＴＶ１を視聴しているときは映像がきれいに見えるが、異なる位置からＤＴＶ１を視聴すると映像が暗く見えたり、劣化して見えたりする場合がある。また、ユーザには好みも存在し、人それぞれ映像が好適に見える位置は異なっている。例えば、あるユーザは暗めの映像の方が好みであり、他のユーザは明るい映像の方が好みであるような場合にはそれぞれのユーザとって映像を好適に視聴することのできる位置は異なる。さらにＤＴＶ１が裸眼で視聴可能な立体視映像を表示するような場合には、視聴可能な位置に制限がかかる場合が多くあり、この中でもユーザにとって視聴に好適な位置（例えば、立体映像がきれいに見える等の位置）が有ると考えられる。また、ユーザ個人の身体的な特徴によっても視聴に好適な位置は異なると考えられる。
【００３６】
ユーザには個人それぞれに好適な視聴位置があり、毎回この好適な位置でＤＴＶ１を視聴するとユーザの満足度は向上すると考えられる。そこで、本実施形態におけるＤＴＶ１はユーザに対して個人的に好適な視聴位置についての情報を通知する。
【００３７】
図４は本実施形態におけるユーザに視聴位置についての情報の通知を行う機能に関する機能ブロックの一例を示すブロック図である。
【００３８】
図４で図示された各ブロックはＤＴＶ１内の機能ブロック等であり、ここではこれらのブロックは制御部１５６内に存在するものと例示する。また位置データベース４３、顔データベース４５はＨＤＤ１７０に記録されているものとして例示する。
【００３９】
画像解析部４１は入力される画像データを解析し、画像内のマーカ４の位置、および画像内のユーザの顔の特徴量を検出する機能を有している。画像解析部４１にはリモートコントローラ２から受信した画像、または内蔵カメラ１６０が撮影した画像が入力される。
【００４０】
位置特定部４２は画像解析部４１から入力される画像に基づいて、ユーザの存在する位置を特定する機能を有している。また、画像解析部４１から入力される画像から得られた位置を特定する情報と位置データベース４３に登録されている位置を特定する情報とを比較し、これらの位置が異なっているかを判別することができる。さらに、どのように異なっているかを判別することができる。
【００４１】
位置データベース４３はユーザ情報と位置を特定する情報とが対応付けられて登録されたデータベースである。この位置データベース４３には各ユーザのＤＴＶ１を好適に視聴することのできる位置を特定する情報が、このユーザを識別する情報と対応付けられて登録されている。
【００４２】
人物特定部４４は画像解析部４１が解析した画像解析部４１に入力された画像に含まれるユーザの顔の特徴量が、顔データベース４５に登録されているか否かを判別し、登録されている場合にはこのユーザを特定する機能を有している。
【００４３】
顔データベース４５は、各ユーザの顔の特徴量についての情報と、このユーザとが対応付けられて登録されたデータベースである。本実施形態において、位置データベース４３と顔データベース４５とは異なるデータベースであるとして例示して説明するが、これに限定されず、同一のデータベースであっても良い。ユーザの識別情報と、このユーザの好適な視聴位置を特定するための情報と、このユーザの顔の特徴量についての情報が対応付けられて登録されているデータベースが存在するとしても良い。
【００４４】
人物特定部４４は位置特定部４２に対して特定した人物（ユーザ）についての情報を出力し、位置特定部４２はこの情報に基づいて、このユーザの好適な視聴位置と現在のこのユーザの視聴位置とが一致しているか否かを判別する。一致していない場合には、好適な位置とユーザが実際に視聴する位置との距離的差分を算出し、この情報を通知部４６に対して出力する。
【００４５】
通知部４６はユーザに対して好適な視聴位置と、現在視聴中の視聴位置とが異なっている旨を通知する機能を有している。また、通知部４６はユーザが好適な視聴位置で視聴するための情報（例えば、ユーザに移動を指示する情報）をユーザに対して通知する。この通知方法としては、例えばＯＳＤ等を用いて表示部１２０に表示する通知方法や、音声にて出力する通知方法等の様々な方法が考えられる。
【００４６】
本実施形態におけるＤＴＶ１は視聴に関してユーザが好適な位置にいるか否かの判別を行い、更に、好適な位置にいない場合には好適な位置との距離的差分を求めることができる。これらを実行する方法について、次に説明を行う。
【００４７】
図５は本実施形態におけるＤＴＶ１が実行する視聴位置解析方法の一例を示す概念図である。
【００４８】
本実施形態におけるＤＴＶ１では、ユーザはまず好適な視聴位置の登録を行う。ユーザは視聴位置が好適であるとき、この場所でリモートコントローラ２のカメラ２３を用いてＤＴＶ１を撮影する。そして、この位置を基準位置として、この基準位置を特定する情報がユーザの識別情報と対応付けられて位置データベース４３に登録される。ユーザが基準位置の登録時とは異なるタイミングで視聴を行うときであって、基準位置でＤＴＶ１を視聴したい場合、ユーザは現在視聴している位置でリモートコントローラ２のカメラ２３を用いてＤＴＶ１を撮影する。ＤＴＶ１はこの撮影した位置と基準位置とを比較して、基準位置と異なっている場合にはユーザに対してこれを通知する。この処理について以下で更に詳細に説明する。
【００４９】
まず、好適な視聴位置の登録を行う場合、ＤＴＶ１はリモートコントローラ２から送られてきた画像を解析し、画像中のマーカ４の位置を求める。ＤＴＶ１は画像中のこのマーカ４の位置を、ユーザと対応づけて位置データベース４３に登録する（図５：上図）。
【００５０】
次に、基準位置の登録時とは異なるタイミングでユーザが視聴を行うときには、ＤＴＶ１はリモートコントローラ２より画像を受信すると、この画像中のマーカ４の位置を特定し、特定したマーカ４の画像中の位置と、位置データベース４３に登録されたマーカ４の位置とを比較する。例えばユーザがＤＴＶ１から基準位置より離れている場合にはマーカ４の位置が画像内の中央によることとなる（図５：中図）。また、ユーザから見て左によっているような場合には、ユーザから見て左側のマーカ４の画像中の位置にあまり変化は無いが、右側のマーカ４の間隔が基準位置の画像より短くなることとなる（図５：下図）。
【００５１】
上述のようにＤＴＶ１はユーザがリモートコントローラ２を用いて撮影した画像を解析し、画像中のＤＴＶ１の写り方に基づいてユーザの視聴位置を認識している。
【００５２】
次にＤＴＶ１の実行する基準位置登録処理及び通知処理についての説明を行う。
【００５３】
図６は、本実施形態におけるＤＴＶ１が実行する基準位置登録処理の一例を示すフロー図である。
【００５４】
基準位置を登録する場合、ユーザはまずリモートコントローラ２のカメラ２３を用いてＤＴＶ１を撮影し、撮影した画像をＤＴＶ１に対して送信する。
【００５５】
ＤＴＶ１は、リモコンより画像を受信すると（ステップＳ６１）、画像解析部４１が受信した画像を解析する（ステップＳ６２）。
【００５６】
ステップＳ６２を実行して、画像解析部４１は受信した画像の解析を行い、この画像の中のマーカ４の位置を特定する（ステップＳ６３）。
【００５７】
次に、ＤＴＶ１は内蔵カメラ１６０によってユーザを撮影する（ステップＳ６４）。
【００５８】
ユーザを撮影すると、画像解析部４１はこの撮影した画像の解析を行い（ステップＳ６５）、ユーザの顔の特徴量を検出する。特徴量を検出すると、画像解析部４１はこの特徴量を人物特定部４４に対して出力し、人物特定部４４はこの特徴量を顔データベース４５に登録されたデータと照らし合わせて、撮影されたユーザの特定を行う（ステップＳ６６）。
【００５９】
人物特定部４４はユーザを特定すると、このユーザの情報を位置特定部４２に出力する。位置特定部４２はユーザを識別する情報と、画像解析部４１が特定した位置の情報とを対応付けて位置データベース４３に登録する（ステップＳ６７）。
【００６０】
以上で基準位置処理についての一連の処理フローは終了となる。
【００６１】
ＤＴＶ１はこのように各ユーザそれぞれの好適な視聴位置を特定するための情報を記憶する。
【００６２】
次に、通知処理について説明を行う。
【００６３】
図７は、本実施形態におけるＤＴＶ１が実行する通知処理の一例を示すフロー図である。
【００６４】
まず、ユーザが基準位置登録時とは異なるタイミングでＤＴＶ１を視聴するときであって、基準位置で視聴したいと考えるとき、ユーザはまずリモートコントローラ２のカメラ２３を用いてＤＴＶ１を撮影し、撮影した画像をＤＴＶ１に対して送信する。
【００６５】
ＤＴＶ１は、リモコンより画像を受信すると（ステップＳ７１）、画像解析部４１が受信した画像を解析する（ステップＳ７２）。
【００６６】
ステップＳ７２を実行して、画像解析部４１は受信した画像の解析を行い、この画像の中のマーカ４の位置を特定する（ステップＳ７３）。
【００６７】
次に、ＤＴＶ１は内蔵カメラ１６０によってユーザを撮影する（ステップＳ７４）。
【００６８】
ユーザを撮影すると、画像解析部４１はこの撮影した画像の解析を行い（ステップＳ７５）、ユーザの顔の特徴量を検出する。特徴量を検出すると、画像解析部４１はこの特徴量を人物特定部４４に対して出力し、人物特定部４４はこの特徴量を顔データベース４５に登録されたデータと照らし合わせて、撮影されたユーザの特定を行う（ステップＳ７６）。
【００６９】
人物特定部４４はユーザを特定すると、このユーザの情報を位置特定部４２に出力する。位置特定部４２はユーザの情報を受け取ると、位置データベース４３よりこのユーザに対応づけられて登録されたマーカの画像上での位置情報と、ステップＳ７３において画像解析部４１で特定された位置情報とを比較する（ステップＳ７７）。
【００７０】
この比較によって、位置特定部４２は登録された基準位置と現在ユーザが視聴している位置とが一致するか否かを判別し、この判別結果の情報を通知部４６に対して出力する。通知部４６は、この判別（比較）結果に基づいてユーザに通知を行う（ステップＳ７８）。例えば、基準位置とユーザの現在の視聴位置とが一致しているような場合にはユーザに一致している旨を通知し、一致していない場合にはユーザに対して一致していない旨、及び「もう少し前へ」、「あと２０センチメートル右に動いてください」等のユーザに移動を求める指示を通知する。
【００７１】
ここでの基準位置と視聴位置との一致については、例えばユーザが基準位置登録時等に「１０センチまでならば一致とみなし、基準位置と異なるという旨を通知しない」等の、誤差の範囲の設定を行えるとしても良い。この設定については、ユーザが例えばリモートコントローラ２等を用いて誤差範囲の数値入力ができるとしても良いし、ユーザの基準位置登録時に誤差用の画像を撮影し、この範囲は誤差とみなすような設定ができるとしてもよい。
【００７２】
以上で通知処理についての一連の処理フローは終了となる。
【００７３】
本実施形態では、撮影した画像のうちのマーカ４の位置をユーザの視聴位置特定に用いるように例示したが、これに限定されず、ＤＴＶ１そのものを画像中より認識し、これを用いてユーザの視聴位置を特定するとしてもよい。この場合、基準位置の登録時と、ユーザの視聴位置調整時とでＤＴＶ１に同じ画像を表示すれば、ＤＴＶ１全体の認識がしやすくなり、更に登録されている情報との比較もより詳細に実行することができる。
【００７４】
また、本実施形態では基準位置をユーザが個々に登録するものとしたが、デフォルトとして、ＤＴＶ１について推奨する視聴位置をユーザに通知してあげるとしても良い。
【００７５】
本実施形態においては、ＤＴＶ１でユーザの画像を撮影することでユーザの識別を行ったが、これに限定されない。例えば、リモートコントローラ２の操作等によってユーザを識別しても良い。この場合にはユーザを識別するためにＤＴＶ１が実行する処理量が少なくなる。
【００７６】
本実施形態におけるＤＴＶ１は、それぞれのユーザに対して視聴に好適な位置についての情報を通知することができる。
【００７７】
なお、本発明は上記実施形態そのままに限定されるものではなく、実施段階ではその要旨を逸脱しない範囲で構成要素を変形して具現化できる。また、上記実施形態に開示されている複数の構成要素の適宜な組み合わせにより、種々の発明を形成できる。例えば、実施形態に示される全構成要素から幾つかの構成要素を削除してもよい。さらに異なる実施形態にわたる構成要素を適宜組み合わせてもよい。
【符号の説明】
【００７８】
１…ＤＴＶ、２…リモートコントローラ、３…通知システム、４…マーカ、１１０…スピーカ、１２０…表示部、１００…信号処理部、１１６…操作部、１１８…受信部、１３１…ＬＡＮ端子、１３３…ＵＳＢ端子、１３７…ライン入力端子、１４３…アンテナ、１４４…入力端子、１４５…チューナ、１４６…ＰＳＫ復振器、１４７…ＴＳ復号器、１４８…アンテナ、１４９…入力端子、１５０…チューナ、１５１…ＯＦＤＭ復振器、１５２…グラフィック処理部、１５３…音声処理部、１５４…ＯＳＤ信号生成部、１５５…映像処理部、１５６…制御部、１５７…ＲＯＭ、１５８…ＲＡＭ、１５９…フラッシュメモリ、１６０…内蔵カメラ、１６４…ＬＡＮ  Ｉ／Ｆ、１６６…ＵＳＢ  Ｉ／Ｆ、１７０…ＨＤＤ、２１…キー、２２…送信部、２３…カメラ、２４…入力部、２５…撮影モジュール、４１…画像解析部、４２…位置特定部、４３…位置データベース、４４…人物特定部、４５…顔データベース、４６…通知部。
【図１】
2015039072.tif 000003
【図２】
2015039072.tif 000004
【図３】
2015039072.tif 000005
【図４】
2015039072.tif 000006
【図５】
2015039072.tif 000007
【図６】
2015039072.tif 000008
【図７】
2015039072.tif 000009